(57)【要約】【課題】外部からのエネルギーの供給なしに、固定部材に対して回転部材を長時間に亘って回転させることが可能な磁力回転装置を提供する。【解決手段】回転側の永久磁石１２，１８は、回転方向の後方から前方に向かって厚みを漸次薄くして、回転方向の後方を固定側の永久磁石１３，１９側に接近させる。固定側の永久磁石１３，１９は、回転方向の前方から後方に向かって厚みが漸次薄くして、回転方向の前方を回転側の永久磁石１２，１８側に接近させる。これにより、回転側の永久磁石１２，１８の回転方向の後方側側面から回転方向の後方側を指向するように磁力を作用させるとともに、固定側の永久磁石１３，１９の回転方向の前方側側面から回転方向の前方側を指向するように磁力を作用させる。【選択図】図１
2012050166.tif 000002
【特許請求の範囲】
【請求項１】
回転方向に沿って永久磁石が複数配列された回転部材と、前記回転側の永久磁石と間隔を置いて対向した状態で前記回転方向に沿って永久磁石が複数配列された固定部材とを有し、前記回転側の永久磁石と前記固定側の永久磁石の互いの磁力の反発力を利用して、前記回転部材を前記固定部材に対して前記回転方向に回転させる磁力回転装置であって、
前記回転側の永久磁石と前記固定側の永久磁石とは、厚み方向の両側に磁極を有し且つ互いに同磁極側を対向させて配置されており、
前記回転側の永久磁石は、前記回転方向の後方から前方に向かって厚みが漸次薄くなって、前記回転方向の後方が前方よりも前記固定側の永久磁石側に接近しており、
前記固定側の永久磁石は、前記回転方向の前方から後方に向かって厚みが漸次薄くなって、前記回転方向の前方が後方よりも前記回転側の永久磁石側に接近しており、
前記回転側の永久磁石の前記回転方向の後方側側面から前記回転方向の後方側を指向するように磁力を作用させ、前記固定側の永久磁石の前記回転方向の前方側側面から前記回転方向の前方側を指向するように磁力を作用させることを特徴とする磁力回転装置。
【請求項２】
前記回転側の永久磁石と前記固定側の永久磁石は、互いに対向する厚み方向の一端面が反磁性体で覆われていることを特徴とする請求項１に記載の磁力回転装置。
【請求項３】
前記回転側の永久磁石と前記固定側の永久磁石は、それぞれ前記回転部材の回転軸を中心とする円周上に配列された状態で、互いに回転軸方向に対向することを特徴とする請求項１又は２に記載の磁力回転装置。
【請求項４】
前記回転側の永久磁石と前記固定側の永久磁石は、それぞれ前記回転部材の回転軸を中心とする円周上に配列された状態で互いに回転軸方向に対向するものと、それぞれ前記回転部材の回転軸を中心とする円周上に配列された状態で互いに半径方向に対向するものとからなることを特徴とする請求項１〜３のいずれか１項に記載の磁力回転装置。
【発明の詳細な説明】
【技術分野】
【０００１】
本発明は、永久磁石の磁力による反発力を利用して回転する磁力回転装置に関する。
【背景技術】
【０００２】
周知のように、回転装置としての熱機関（エンジン）は、ガソリン等の燃料を燃焼して機械エネルギーに変換して回転力を生むものである。そのため、回転力の維持には、燃料を継続的に供給し続ける必要があり、省エネルギー化に限界がある。しかも、熱機関の動力源となる燃料の多くは化石燃料であるため、その資源も有限である。このような実情の中、近年では、回転装置として、自動車の分野などにおいても電動機（モータ）が注目を集めている。しかし、この種の電動機も、電気エネルギーを機械エネルギーに変換して回転力を生むものであるため、回転力の維持には電気エネルギーを継続的に供給し続ける必要があり、省エネルギー化に限界がある。
【０００３】
そこで、省エネルギー化を達成すべく、例えば、特許文献１などには、永久磁石の反発力を利用した磁力回転装置が提案されている。詳細には、固定部材に、複数の永久磁石を、同磁極を上方に向けた状態で円周状に配列し、回転部材に、固定部材の永久磁石の上方を向いた磁極と同磁極側を僅かに角度を付けた状態で永久磁石を取り付け、双方の磁力の反発力を利用して回転力を生じさせようとするものである。
【先行技術文献】
【特許文献】
【０００４】
【特許文献１】特開２００６−２３８５９６号公報
【発明の概要】
【発明が解決しようとする課題】
【０００５】
ところで、例えば、特許文献１の図３では、固定部材の永久磁石のＮ極に対して、回転部材の永久磁石のＮ極を回転方向に僅かに傾斜させて対向させることで、両者の間に生じる磁力の反発力を回転方向前方側へ作用させようとしている。
【０００６】
しかしながら、この場合、固定側の永久磁石に対して回転側の永久磁石が離反する位置関係にあるときには、両者の間に作用する磁力の反発力が回転方向前方へ向かう推進力として作用するが、固定側の永久磁石に対して回転側の永久磁石が接近する位置関係にあるときには、両者の間に作用する磁力の反発力が回転方向前方への推進力を止める大きな抵抗として作用することになる。そのため、この回転方向前方への推進力に対して抵抗として作用する磁力に影響によって、実際上は固定部材に対して回転部材をうまく回転させることができない。
【０００７】
したがって、特許文献１に開示の磁力回転装置をそのまま実用化した場合には、外部からのエネルギーの供給を停止した直後に回転部材が停止するため、省エネルギー化を依然として達成することができない。
【０００８】
本発明は、以上の実情に鑑み、永久磁石の磁力を適正に管理することで、回転力を生み出す磁力を固定側の永久磁石と回転側の永久磁石の間で効率よく作用させ、外部からのエネルギーの供給なしに、固定部材に対して回転部材を長時間に亘って回転させることが可能な磁力回転装置を提供することを技術的課題とする。
【課題を解決するための手段】
【０００９】
上記の課題を解決するために創案された本発明は、回転方向に沿って永久磁石が複数配列された回転部材と、前記回転側の永久磁石と間隔を置いて対向した状態で前記回転方向に沿って永久磁石が複数配列された固定部材とを有し、前記回転側の永久磁石と前記固定側の永久磁石の互いの磁力の反発力を利用して、前記回転部材を前記固定部材に対して前記回転方向に回転させる磁力回転装置であって、前記回転側の永久磁石と前記固定側の永久磁石とは、厚み方向の両側に磁極を有し且つ互いに同磁極側を対向させて配置されており、前記回転側の永久磁石は、前記回転方向の後方から前方に向かって厚みが漸次薄くなって、前記回転方向の後方が前方よりも前記固定側の永久磁石側に接近しており、前記固定側の永久磁石は、前記回転方向の前方から後方に向かって厚みが漸次薄くなって、前記回転方向の前方が後方よりも前記回転側の永久磁石側に接近しており、前記回転側の永久磁石の前記回転方向の後方側側面から前記回転方向の後方側を指向するように磁力を作用させ、前記固定側の永久磁石の前記回転方向の前方側側面から前記回転方向の前方側を指向するように磁力を作用させることに特徴づけられる。
【００１０】
このような構成によれば、回転側の永久磁石と、固定側の永久磁石との間に作用する磁力（反発力・吸引力）が適正に管理され、回転力を生み出す磁力を回転側の永久磁石と固定側の永久磁石の間で効率よく作用させることができる。そのため、最初に外部からエネルギーを加えて、固定部材を回転部材に対して回転させれば、その後は外部からのエネルギーの供給なしに、固定部材に対して回転部材を長時間に亘って回転させることが可能となり、省エネルギー化を達成することができる。これは、本願発明者の知見によれば、以下のような理由によるものと考えられる。
【００１１】
通常、回転側の永久磁石が回転すると、回転側の永久磁石の回転方向前方側から生じる磁力と、固定側の永久磁石の回転方向後方側から生じる磁力が影響を及ぼし合うことになり、この領域での磁力の反発力が、回転部材の回転を阻害する抵抗として作用する要因となり得る。一方、本願発明の上記構成では、回転側の永久磁石が、回転方向の後方から前方に向かって厚みが漸次薄くなって回転方向の後方が前方よりも固定側の永久磁石側に接近しているので、回転側の永久磁石の回転方向前方側から生じる磁力が、固定側の永久磁石に与える影響は小さくなる。また同様に、固定側の永久磁石が、回転方向の前方から後方に向かって厚みが漸次薄くなって回転方向の前方が後方よりも回転側の永久磁石側に接近しているので、固定側の永久磁石の回転方向後方側から生じる磁力が、回転側の永久磁石に与える影響は小さくなる。したがって、回転側の永久磁石が固定側の永久磁石に接近する際に、回転部材の回転に対して抵抗として作用する不要な磁力（反発力）を確実に低減することができる。
【００１２】
そして、このように回転部材の回転を阻害する磁力の反発力を低減した状態で、回転側の永久磁石の回転方向の後方側側面からは、回転方向の後方側を指向するように磁力が作用し、固定側の永久磁石の回転方向の前方側側面から回転方向の前方側を指向するように磁力が作用するので、双方の磁力によって生じる反発力によって、回転部材を固定部材に対して所定の回転方向に効率よく回転させることができる。したがって、最初に外部からエネルギーを加えて、一旦回転部材を回転させれば、外部からのエネルギーの供給を停止した後も、上述の磁力の反発力によって回転部材が長時間に亘って回転し続け、省エネルギー化を達成することができる。
【００１３】
上記の構成において、前記回転側の永久磁石と前記固定側の永久磁石は、互いに対向する側の厚み方向の一端面が反磁性体で覆われていることが好ましい。ここで、反磁性体としては、例えば、銅、金、銀、鉛などを使用することができるが、銅を選択すれば、製造コストの低廉化を図ることができるという利点を享受し得る。
【００１４】
本願発明者の鋭意研究の結果、上記構成とすることで、回転部材の回転がより円滑に行われることを知見するに至った。これは、反磁性体が有する内部に磁力線が侵入するのを嫌う性質が、回転側の永久磁石と固定側の永久磁石から生じる磁力に影響を及ぼしたためと考えられる。
【００１５】
上記の構成において、前記回転側の永久磁石の配列間隔が、前記固定側の永久磁石の配列間隔よりも長いことが好ましい。
【００１６】
本願発明者は、鋭意研究の結果、上記の構成とすることで、回転側の永久磁石と、固定側の永久磁石との間に生じる磁力の反発力の力関係が最適化され、回転部材をよりロスなく回転させることができるという事を見出すに至った。
【００１７】
上記の構成において、前記回転側の永久磁石と前記固定側の永久磁石は、互いに対向する側の厚み方向の一端面が直線状のテーパ面をなすことが好ましい。
【００１８】
このようにすれば、回転側の永久磁石と固定側の永久磁石との着磁を含めた加工が比較的容易となり、低コスト化を図ることができる。
【００１９】
上記の構成において、前記回転側の永久磁石と前記固定側の永久磁石は、それぞれ前記回転部材の回転軸を中心とする円周上に配列された状態で、互いに回転軸方向に対向していてもよい。
【００２０】
このような構成によれば、回転側の永久磁石と固定側の永久磁石とが回転軸方向に対向した状態で、回転側の永久磁石の後方側側面と固定側の永久磁石の前方側側面との間に生じる磁力の反発力により、回転部材に効率よく回転力を作用させることができる。
【００２１】
上記の構成において、前記回転側の永久磁石と前記固定側の永久磁石は、それぞれ前記回転部材の回転軸を中心とする円周上に配列された状態で、互いに半径方向に対向していてもよい。
【００２２】
このような構成によれば、回転側の永久磁石と固定側の永久磁石とが半径方向に対向した状態で、回転側の永久磁石の後方側側面と固定側の永久磁石の前方側側面との間に生じる磁力の反発力により、回転部材に効率よく回転力を作用させることができる。
【００２３】
上記の構成において、前記回転側の永久磁石と前記固定側の永久磁石は、それぞれ前記回転部材の回転軸を中心とする円周上に配列された状態で互いに回転軸方向に対向するものと、それぞれ前記回転部材の回転軸を中心とする円周上に配列された状態で互いに半径方向に対向するものとで構成されていてもよい。
【００２４】
このような構成によれば、回転軸方向に対向する回転側の永久磁石と固定側の永久磁石とが存在するので、これらの回転側の永久磁石の後方側側面と固定側の永久磁石の前方側側面との間に回転力を生む反発力が生じる。これに加えて、半径方向に対向する回転側の永久磁石と固定側の永久磁石も存在するので、これらの回転側の永久磁石の後方側側面と固定側の永久磁石の前方側側面との間にも回転力を生む反発力が生じる。したがって、これら２つの反発力による相乗効果で、回転部材を効率よく回転させることが可能となる。
【発明の効果】
【００２５】
以上のような本発明によれば、永久磁石の磁力による反発力を適正に管理することができるので、回転力を生み出す磁力を回転側の永久磁石と固定側の永久磁石の間で効率よく作用させ、外部からのエネルギーの供給なしに、固定部材に対して回転部材を長時間に亘って回転させることが可能となる。
【図面の簡単な説明】
【００２６】
【図１】本発明の一実施形態に係る磁力回転装置の全体構成を示す縦断面図である。
【図２】本実施形態に係る磁力回転装置の外観を現した斜視図である。
【図３】図１のＡ−Ａ断面図である。
【図４】図３の要部拡大断面図である。
【図５】図３のＢ−Ｂ組断面図である。
【図６】本実施形態に係る磁力回転装置の永久磁石の配列態様の変形例を示す縦断面図である。
【発明を実施するための形態】
【００２７】
以下、本発明の一実施形態を添付図面を参照して説明する。
【００２８】
図１は、本実施形態に係る磁力回転装置の全体構成を示す縦断面図である。この磁力回転装置１は、回転部材２と、この回転部材２の回転軸Ｘと同心軸上に配置された固定部材３とを有する。
【００２９】
回転部材２は、この実施形態では、上下面が閉じられた円筒状を呈し、中心に挿通された回転軸部４と一体となって回転可能となっている。回転軸部４は、回転部材２の上下位置でそれぞれ軸受５，６によって支持されている。回転軸部４の下端は、始動用補助モータ（例えば、誘導モータ）７に接続されており、回転軸部４の上端は、図外で例えば発電機（ダイナモ）などに接続されている。なお、このように回転軸部４を発電機に接続する場合には、磁力回転装置１で発生した回転力を利用して発電することになる。
【００３０】
固定部材３は、この実施形態では、回転部材２を内部に収容するハウジングの役割を果たしており、この実施形態では、回転部材２の回転軸部４を中心とする円筒状を呈している。なお、図示例では、固定部材３の内部空間の下部に、始動用補助モータ７も収容されている。そのため、外観上は、図２に示すように、固定部材３が主として視認される。また、この実施形態では、固定部材３の上蓋部８と蓋部側壁部９とが、常磁性体（例えば、アルミニウムなど）で形成されており、不要な磁力線（磁束）を装置外部に逃がすことが可能になっている。
【００３１】
図３に示すように、回転部材２の側面を構成する円筒面部１０と、固定部材３の側面を構成する円筒面部１１とは、それぞれ非磁性体（例えば、ステンレス３１６Ｌなど）で形成されており、互いに半径方向に間隔を置いて対向している。そして、回転部材２の円筒面部１０と、回転部材２の円筒面部１１との間の空間が、第１の磁力形成空間Ｓ１となる。
SHAPE  \* MERGEFORMAT   
【００３２】
回転部材２の円筒面部１０には、回転軸方向に幅広な永久磁石１２が円周方向に間隔を置いて複数配列されている。図４に示すように、これら複数の回転側の永久磁石１２の各々は、その厚み方向に当たる半径方向の両側に磁極を有しており、本実施形態では、外径側がＮ極、内径側がＳ極を向くようにしている。そして、各々の回転側の永久磁石１２は、内径側に退避するように、肉厚が回転方向（図中の矢印Ｙで示す方向）の後方から前方に向かって漸次薄くなり、外径側端面が直線状のテーパ面１２ａとなっている。その結果、各々の回転側の永久磁石１２のＮ極側における回転方向後方側側面を含む一部領域のみが、回転部材２の円筒面部１０の外径側に隆起して第１の磁力形成空間Ｓ１に露出している。
【００３３】
一方、固定部材３の円筒面部１１には、回転軸方向に幅広な永久磁石１３が円周方向に間隔を置いて複数配列されている。これら複数の固定側の永久磁石１３の各々は、その厚み方向に当たる半径方向の両側に磁極を有しており、本実施形態では、外径側がＳ極、内径側がＮ極を向くようにしている。そして、各々の固定側の永久磁石１３は、外径側に退避するように、肉厚が回転方向の前方から後方に向かって漸次薄くなり、内径側端面が直線状のテーパ面１３ａとなっている。その結果、各々の固定側の永久磁石１３のＮ極側における回転方向前方側側面を含む一部領域のみが、回転部材２の円筒面部１０の内径側に隆起して第１の磁力形成空間Ｓ１に露出している。
【００３４】
そして、回転部材２の円筒面部１０に配列された永久磁石１２のテーパ面１２ａと、固定部材３の円筒面部１１に配列された永久磁石１３のテーパ面１３ａの上には、それぞれ反磁性体（例えば、銅板）１４，１５が重ねられている。なお、この実施形態では、回転部材２の円筒面部１０及び固定部材３の円筒面部１１の一部をそれぞれ切り裂いて、その切裂部１０ａ，１１ａを永久磁石１２，１３のテーパ面１２ａ，１３ａの傾斜に合うように外径側又は内径側に折り曲げて、その切裂部１０ａ，１１ａに反磁性体１４，１５を介して永久磁石１２，１３のテーパ面１２ａ，１３ａを取り付けている。また、反磁性体１４は、回転側の永久磁石１２のテーパ面１２ａの回転方向後方端から回転方向後方に僅かに食み出しており、反磁性体１５は、固定側の永久磁石１３のテーパ面１３ａの回転方向前方端から回転方向前方に僅かに食み出している。
【００３５】
なお、この実施形態では、回転部材２の円筒面部１０に配列された永久磁石１２の円周方向の配列間隔Ｌ１は、固定部材３の円筒面部１１に配列された永久磁石１３の円周方向の配列間隔Ｌ２よりも長く設定されている。
【００３６】
更に、図１に示すように、回転軸Ｘと直交する回転部材２の下面を構成する下部平面部１６と、回転軸Ｘと直交し且つ固定部材３の上下方向の中間に配置された中間平面部１７とは、それぞれ非磁性体（例えば、ステンレス３１６Ｌなど）で形成されており、互いに回転軸方向に間隔を置いて対向している。そして、回転部材２の下部平面部１６と、固定部材３の中間平面部１７との間の空間が、第２の磁力形成空間Ｓ２となる。
【００３７】
回転部材２の下部平面部１６には、回転軸Ｘを中心とする円周上に、半径方向に幅広な永久磁石１８が複数配列されている。図５に示すように、これら複数の回転側の永久磁石１８の各々は、その厚み方向に当たる回転軸方向の両側に磁極を有しており、本実施形態では、下方側がＮ極、上方側がＳ極を向くようにしている。そして、各々の回転側の永久磁石１８は、上方側に退避するように、肉厚が回転方向（図中の矢印Ｙで示す方向）の後方から前方に向かって漸次薄くなり、下方側端面が直線状のテーパ面１８ａとなっている。その結果、各々の回転側の永久磁石１８のＮ極側における回転方向後方側側面を含む一部領域のみが、回転部材２の下部平面部１６の下方側に隆起して第２の磁力形成空間Ｓ２に露出している。
【００３８】
一方、図１に示すように、固定部材３の中間平面部１７には、回転軸Ｘを中心とする円周上に、半径方向に幅広な永久磁石１９が複数配列されている。図５に示すように、これら複数の固定側の永久磁石１９の各々は、その厚み方向に当たる回転軸方向の両側に磁極を有しており、本実施形態では、上方側がＮ極、下方側がＳ極を向くようにしている。そして、各々の固定側の永久磁石１９は、下方側に退避するように、肉厚が回転方向の前方から後方に向かって漸次薄くなり、上方側端面が直線状のテーパ面１９ａとなっている。その結果、各々の固定側の永久磁石１９のＮ極側における回転方向前方側側面を含む一部領域のみが、回転部材２の中間平面部１７の上方側に隆起して第２の磁力形成空間Ｓ２に露出している。
【００３９】
そして、回転部材２の下部平面部１６に配列された永久磁石１８のテーパ面１８ａと、固定部材３の中間平面部１７に配列された永久磁石１９のテーパ面１９ａの上には、それぞれ反磁性体２０，２１が重ねられている。なお、この実施形態では、回転部材２の下部平面部１６及び固定部材３の中間平面部１７の一部をそれぞれ切り裂いて、その切裂部１６ａ，１７ａを永久磁石１８，１９のテーパ面１８ａ，１９ａの傾斜に合うように下方側又は上方側に折り曲げて、切裂部１６ａ，１７ａに反磁性体２０，２１を介して永久磁石１８，１９のテーパ面１８ａ，１９ａを取り付けている。また、反磁性体２０は、回転側の永久磁石１８のテーパ面１８ａの回転方向後方端から僅かに回転方向後方に食み出しており、反磁性体２１は、固定側の永久磁石１９のテーパ面１９ａの回転方向前方端から僅かに回転方向前方に食み出している。
【００４０】
更に、この実施形態では、回転部材２の下部平面部１６に配列された永久磁石１８の円周方向の配列間隔Ｌ３は、固定部材３の中間平面部１７に配列された永久磁石１９の円周方向の配列間隔Ｌ４よりも長く設定されている。
【００４１】
以上のような構成によれば、回転側の永久磁石１２，１８が、回転方向の後方から前方に向かって厚みが漸次薄くなって回転方向の後方が前方よりも固定側の永久磁石１３，１９側に接近しているので、回転側の永久磁石１２，１８の回転方向前方側から生じる磁力が、固定側の永久磁石１３，１９に与える影響は小さくなると考えられる。また同様に、固定側の永久磁石１３，１９が、回転方向の前方から後方に向かって厚みが漸次薄くなって回転方向の前方が後方よりも回転側の永久磁石１２，１８側に接近しているので、固定側の永久磁石１３，１９の回転方向後方側から生じる磁力が、回転側の永久磁石１２，１８に与える影響は小さくなると考えられる。したがって、回転部材２が回転して、回転側の永久磁石１２，１８が、任意の固定側の永久磁石１３，１９に接近する際に、回転部材の回転を阻害する抵抗として作用する不要な磁力（反発力）を有効に低減することができると考えられる。
【００４２】
そして、このように回転部材２の回転を阻害する磁力の反発力を低減した状態で、図４及び図５に示すように、回転部材２に配列された永久磁石１２，１８のＮ極側における回転方向後方側側面から主として回転方向後方側に作用する磁力（図４の矢印ａ、図５の矢印ｃ）と、固定部材３に配列された永久磁石１３，１９のＮ極側における回転方向前方側側面から主として回転方向前方側に作用する磁力（図４の矢印ｂ、図５の矢印ｄ）とが互いに反発する。その結果、この反発力が、回転部材２を所定の回転方向に回転させる回転力を半永久的に生み出すことになる。そして、この回転力を生む反発力は、第１の磁力形成空間Ｓ１及び第２の磁力形成空間Ｓ２で生じるので、この２つの空間Ｓ１，Ｓ２に作用する磁力の反発力の相乗効果により大きな回転力を生むことができるため、回転部材２を高トルクで回転させることができる。
【００４３】
また、この際、回転部材２の下部平面部１６に配列された永久磁石１８と、固定部材３の中間平面部１７に配列された永久磁石１９との間に作用する磁力の反発力によって、回転部材２に浮力が作用することになるので、固定部材３を小さな力でも効率よく回転させることができるようになっている。
【００４４】
なお、第１の磁力形成空間Ｓ１と第２の磁力形成空間Ｓ２などに形成される磁力線（磁束）のうち、不要なものは、固定部材３の上蓋部８と蓋部側壁部９から装置外部に逃げるようになっているので、回転部材２の回転に伴う装置内部の磁場の乱れを防止する効果が期待できる。
【００４５】
ここで、磁力回転装置１を始動する際には、始動用補助モータ７で回転軸部４を回転させることにより、回転部材２に外部からエネルギーを供給する。このように外部からエネルギーを付与すると、上述の永久磁石１３，１４，１８，１９の磁力の反発力によって、回転部材２が徐々に加速していく。そして、所定速度まで加速された段階で、始動用補助モータ７を停止して外部からのエネルギーの供給を絶っても、回転部材２は磁力の反発力を利用して長時間（半永久的）に亘って回転し続ける。したがって、外部からのエネルギー供給を最小限に止めつつ、回転部材２の回転を継続することができるので、省エネルギー化を好適に達成することができる。モータ７を停止することなく、外部からエネルギーを継続供給してもよい。
【００４６】
そして、本願発明者は、上記の構成を備えた磁力回転装置１で、５００回／分以上の回転性能を実現するに至っている。また、この回転性能は、使用する永久磁石の種類を変更するなどして、永久磁石の磁力を強くすれば、より高速で回転させることが可能となる。
【００４７】
なお、本発明は、上記の実施形態に限定されるものではなく、種々の形態で実施することができる。例えば、上記の実施形態では、２つの磁力形成空間Ｓ１，Ｓ２を有する場合を説明したが、磁力形成空間Ｓ１，Ｓ２のいずれか一方のみを有するようにしてもよい。
【００４８】
また、上記の実施形態では、図５に示すように、例えば、固定側の永久磁石１９を固定部材３の中間平面部１７から上方に隆起させて第２の磁力形成空間Ｓ２に露出させる場合を説明したが、図６に示すように、固定側の永久磁石１９を固定部材３の中間平面部１７よりも下方に埋設させてもよい。この場合、図示例のように、固定部材３の中間平面部１７の一部を切り裂くとともに、その切裂部１７ａを下方に折り曲げ、固定側の永久磁石１９のＮ極を第２の磁力形成空間Ｓ２に露出させることが好ましい。なお、このような永久磁石の配置態様は、回転部材２の円筒面部１０及び下部平面部１６に配列された永久磁石１２，１８や、固定部材３の円筒面部１１に配列された永久磁石１３に対しても同様に適用することができる。
【符号の説明】
【００４９】
１      磁力回転装置
２      回転部材
３      固定部材
７      始動用補助モータ
１０    回転部材の円筒面部
１１    固定部材の円筒面部
１２    回転側の永久磁石
１３    固定側の永久磁石
１６    回転部材の下部平面部
１７    固定部材の中間平面部
１８    回転側の永久磁石
１９    固定側の永久磁石
Ｓ１    第１の磁力形成空間
Ｓ２    第２の磁力形成空間
【図１】
2012050166.tif 000003
【図２】
2012050166.tif 000004
【図３】
2012050166.tif 000005
【図４】
2012050166.tif 000006
【図５】
2012050166.tif 000007
【図６】
2012050166.tif 000008